(57)【要約】      （修正有）【課題】同時に表示される複数月の暦欄を固定して、スケジュールやデータ等を書き込むことができ、さらにそれらのデータの変化が一目でわかるようなロール式カレンダーを提供する。【解決手段】帯状のカレンダーシート１０と、その帯状のカレンダーシート１０を収納する収納容器１４、１５とを備えたロール式カレンダー１であって、帯状のカレンダーシート１０は、月単位のカレンダーシート１１を横に並べて連結したものであって、月単位のカレンダーシート１１上部にはカレンダー表示部１２を設け、カレンダーシート１１下部にはグラフ表示部１３を設けた。【選択図】図１
0003213239.tif 000002
【実用新案登録請求の範囲】
【請求項１】
帯状のカレンダーシートと、該帯状のカレンダーシートを収納する収納容器とを備えたロール式カレンダーであって、
前記帯状のカレンダーシートは、月単位のカレンダーシートを横に並べて連結したものであって、前記月単位のカレンダーシート上部にはカレンダー表示部を設け、前記カレンダーシート下部にはグラフ表示部を設けたことを特徴とするロール式カレンダー。
【請求項２】
請求項１に記載のロール式カレンダーであって、
前記カレンダー表示部は、月単位の曜日および日を表示し、日表示部の下側にデータを記載するデータ記載部を設けたことを特徴とするロール式カレンダー。
【請求項３】
請求項１または２に記載のロール式カレンダーであって、
前記グラフ表示部は、月単位の日数分のデータの記録が可能なグラフ用紙を設けたことを特徴とするロール式カレンダー。
【請求項４】
請求項１ないし３のいずれかに記載のロール式カレンダーであって、
前記収納容器は、略平行かつ離間するように左右に配設され、前記帯状のカレンダーシートが巻きつけられた一対の支持棒を収納する四角柱状の細長容器であり、前記四角柱状の側面の長辺に沿って、前記帯状のカレンダーシートが通る切欠部を設けたことを特徴とするロール式カレンダー。
【請求項５】
請求項４に記載されたロール式カレンダーであって、
前記切欠部の両端には、前記帯状のカレンダーシートを押さえるカレンダーシート押さえ部材を設け、前記収納容器に前記カレンダーシート押さえ部材の一部を接着させ、前記収納容器に前記カレンダーシート押さえ部材を接着させない部分に前記帯状のカレンダーシートを通すことを特徴とするロール式カレンダー。
【考案の詳細な説明】
【技術分野】
【０００１】
本考案は、ロール式カレンダーに関する。
【背景技術】
【０００２】
一般的に、人が集まるような場所、例えば事務所や家族が団欒する家庭の居間等には、必ずといってよいほど、月めくり方式のカレンダーが掲げられている。この月めくり方式のカレンダーは、１ヶ月分の暦が表示されたシートが複数枚、表示月順に重ねられている。そして、暦欄には、ある程度の余白が設けられている。
【０００３】
このため、このような月めくり方式のカレンダーの暦欄の余白に各個人のスケジュール等を書き込むことによって、事務所であれば所属員のスケジュール、家庭であれば家族のスケジュールを把握することができる。よって、上記のようなスケジュールの作成および確認のために月めくり方式のカレンダーが使用されている。
また、暦欄に設けられた余白に、人によっては毎日測定する体重や健康のためのウォーキングの距離数、また病院等の検査データを記録する事にも使用されている。
【０００４】
しかし、月めくり方式のカレンダーの場合、表示されるのが１ヵ月分なので、表示月の最後の週と翌月の最初の週とをまたぐ連続したスケジュールは、同時には把握できない。また、通常、月めくり方式のカレンダーは、１ヶ月分の暦が表示されたシートが複数枚重ねられているので、表示月が過ぎるとその月のシートが廃棄される。すると、過去のスケジュール等を確認したくても確認することができない。
【０００５】
そこで、上記のような問題を解消するために、カレンダーの表示部が移動可能なロール式カレンダーが提案されている（例えば、特許文献１など）。
【先行技術文献】
【特許文献】
【０００６】
【特許文献１】特開２００４−１７３５１号公報
【考案の概要】
【考案が解決しようとする課題】
【０００７】
特許文献１には、上下に平行となるように離間した一対の保持部に設けられた棒状の支持棒間において、帯状のカレンダーを巻きかけた構造のロール式カレンダーが開示され、この帯状のカレンダーは３ヶ月分の暦を表示することができる旨が開示されている。
また、特許文献１には、支持棒は保持部に回転可能に設けられ、その両端部には歯車が設けられており、帯状のカレンダーの両端部には、その端部に沿って歯車の歯が係合される複数の係合孔が形成されている。そして、支持棒を回転させると上下方向に向かって帯状のカレンダーを回転させることができるので、表示月を変更できる旨が開示されている。
このため、特許文献１に開示のロール式カレンダーを予定表として使用すれば、表示月が経過した後も表示月を確認することができるし、複数月のスケジュールを把握することが可能である。
【０００８】
しかし、特許文献１に開示のロール式カレンダーは、帯状のカレンダーを一対の支持棒間に巻きかけている。つまり、帯状のカレンダーは、一対の支持棒間において、シートが垂れ下がっている。このため、筆記具を用いて表示月にスケジュール等を書き込もうとすれば、帯状のカレンダーが動いたりするので、書きにくいという問題があった。
また、毎日の体重、歩行距離、検査データ等を記録することは可能であるが、それらの変化あるいは傾向を一目で確認することは難しいという問題もあった。
【０００９】
本考案は、上記の問題を鑑みてなされたものであって、同時に表示される複数月の暦欄を固定してスケジュールやデータ等を書き込むことができ、さらにそれらのデータの変化が一目でわかるようなロール式カレンダーを提供することを目的とする。
【課題を解決するための手段】
【００１０】
本考案は、帯状のカレンダーシートと、その帯状のカレンダーシートを収納する収納容器とを備えたロール式カレンダーであって、帯状のカレンダーシートは、月単位のカレンダーシートを横に並べて連結したものであって、月単位のカレンダーシート上部にはカレンダー表示部を設け、そのカレンダーシート下部にはグラフ表示部を設けたことを特徴とするロール式カレンダーである。
【考案の効果】
【００１１】
本考案によれば、同時に表示される複数月の暦欄を固定してスケジュールやデータ等を書き込むことができ、さらにそれらのデータの変化が一目でわかるようなロール式カレンダーを提供することができる。
【図面の簡単な説明】
【００１２】
【図１】本実施形態に係るロール式カレンダーの概略斜視図である。
【図２】カレンダーシートのカレンダー表示部の詳細である。
【図３】カレンダーシートのグラフ表示部の詳細である。
【図４】使用状態のロール式カレンダーの収納容器の断面を上から見た図である。
【図５】収納容器の形状とカレンダーシート押さえ部材の取付け箇所を説明する図である。
【図６】収納容器の展開図である。
【図７】収納容器に巻き取り具が嵌め込まれた状態の断面図である。
【考案を実施するための形態】
【００１３】
本考案の実施形態に係るロール式カレンダーついて図面を参照して説明する。
図１は、本実施形態に係るロール式カレンダーの概略斜視図である。
ロール式カレンダー１は、帯状のカレンダーシート（以下、帯状カレンダーシートという）１０、帯状カレンダーシート１０の収納容器１４、１５および巻き取り具１６より構成される。図１は、ロール式カレンダー１の収納容器１４および１５を壁等に貼り付けた状態を示している。
【００１４】
帯状カレンダーシート１０は、月単位の暦を表示するカレンダーシート１１を、１２ヶ月分横に並べて連結したシートである。
カレンダーシート１１は、１ヶ月分の暦を表示するカレンダー表示部１２および日単位の記録を連続して表示するグラフ表示部１３から構成される。
【００１５】
帯状カレンダーシート１０の両端は、一対の支持棒（以下、巻き取り用ロールという）により巻き取られて、その巻き取り用ロールは、それぞれ収納容器１４および１５に収納される。
収納容器１４および１５に収納された巻き取り用ロールは、帯状カレンダーシート１０を巻き取るための巻き取り具１６が、収納容器１４および１５の下側から嵌め込まれている。
【００１６】
このロール式カレンダー１は、収納容器１４および１５を、例えば３ヶ月分のカレンダーシート１１が表示可能な間隔で、収納容器１４および１５に取り付けられた両面粘着テープまたはマグネット等により壁に貼り付けて使用する。
１ヶ月が経過すると、収納容器１４の下側に取付けられた巻き取り具１６によって、該当する月のカレンダーシート１１が中心となるように帯状カレンダーシート１０を巻き取って移動させる。
【００１７】
このように、ロール式カレンダー１は１ヶ月が経過する毎に帯状カレンダーシート１０を移動させることができる。また、過ぎた月のカレンダーシート１１のスケジュールや記録を確認したいときは、収納容器１５の巻き取り具１６によって帯状カレンダーシート１０を巻き戻し、過去のカレンダーシート１１を表示させて確認することができる。
【００１８】
本実施形態のロール式カレンダー１は、帯状カレンダーシート１０を巻き取って移動させ表示することにより、前もって記載していた３ヶ月以上先の予定または過去の記録等を容易に確認することができる。
なお、カレンダーシート１１の表示は、３ヶ月分に限られず、一対の収納容器１４および１５の間隔が十分確保できなければ、２ヶ月分または１ヶ月分を表示する間隔としてもよい。逆に、収納容器１４および１５の間隔は、カレンダーシートの４ヶ月分以上を表示する間隔としてもよい。
【００１９】
また、帯状カレンダーシート１０は、本実施形態では１２ヶ月分のカレンダーシート１１を帯状に巻いたシートであるが、１２ヶ月分に限らず、例えば該当年の前年の１１月、１２月のカレンダーシート１１を追加したものであってもよいし、該当年の次年の１月から３月までのカレンダーシート１１を追加したものであってもよい。
【００２０】
図２は、カレンダーシートのカレンダー表示部の詳細である。
カレンダーシート表示部１２は、年表示部２０、月表示部２１、曜日表示部２２、日表示部２３およびデータ記載部２４から構成される。
年表示部２０は、西暦年や年号（元号）を表示する。年の表示位置は左端に限られず、中央にあってもよいし、右端であってもよい。
【００２１】
月表示部２１は、１月から１２月までの月を表示する。表示する位置は、中央に限らずどこにあってもよい。
曜日表示部２２は、曜日を記載する７つの枠を備え、一週間の曜日を表示する。図２では、月曜日に始まり日曜日に終わる一週間の表示としているが、一週間は日曜日から始まる表示であってもよい。また、日曜日は赤色で、土曜日は青色等で表示してもよい。
【００２２】
日表示部２３は、１ヶ月分の日数を表示可能な枠を備え、その枠に日を表示する。各日表示部２３の下側にデータ記載部２４を設ける。本実施形態ではデータ記載部２４に「ｋｍ」を記載しており、毎日の歩行距離数やランニング距離数を記録することができる。
距離数の「ｋｍ」は、歩数や「ｍ」等の他の単位であってもよいし、距離数の単位に限らず、その他の記録に必要な単位であってもよい。
なお、日表示部２３は、曜日表示部２２と同様に、土曜日や日曜日または祝日に該当する日には青色や赤色等の色で表示してもよい。
【００２３】
図３は、カレンダーシートのグラフ表示部の詳細である。
グラフ表示部１３は、グラフ用紙２５、グラフ用紙日表示部２６および余白部２７から構成される。
グラフ用紙２５は、大きさの制限はないが、本実施形態では約１０ｃｍ×２０ｃｍの用紙であり、例えば、横は１ｍｍ幅で８０〜１００本の目盛り線を設けることができ、縦は約５ｍｍ程度の間隔で月単位の日数分の列を設けることができる。
【００２４】
グラフ用紙２５の下側には、月単位のグラフ用紙日表示部２６が設けられ、左から右に順に日にちが記載される。図３では、５日毎に日にちを記載している。グラフ用紙２５の下側には、余白部２７が設けられ、使用する人のスケジュール等が記載できるメモ欄になっている。
【００２５】
月単位のグラフ用紙に、毎日測定する体重、検査記録等のデータを記載することができるため、データの変化、例えば体重の推移、ダイエットの効果、病院での治療結果による効果等が一目で確認でき、また前後の月のデータも視線を左右に動かすだけであわせて確認することができる。
【００２６】
図４は、使用状態のロール式カレンダーの収納容器の断面を上から見た図であり、カレンダーシート押さえ部材の設けられた箇所の断面図である。収納容器１４および１５は両面粘着テープ２９により壁等の貼付けられている。帯状カレンダーシート１０の最初の部分および最後の部分は、それぞれ２つの巻き取り用ロール３０により巻き取られ、表示されている３ヶ月分のカレンダーシート１１は、ほぼ壁に密着した状態である。
【００２７】
帯状カレンダーシート１０は、収納容器１５とカレンダーシート押さえ部材２８の間から、収納容器１５の側面の長辺に沿って切り取った切欠部１５ａから取り出されている。取り出された帯状カレンダーシート１０は、もう一方の収納容器１４の切欠部１４ａから、収納容器１４と帯状カレンダーシート押さえ部材２８の間を通り、巻き取り用ロール３０に巻き取られている。
すなわち、帯状カレンダーシート１０は、収納容器１４および１５とカレンダーシート押さえ部材２８に挟まれ保持された状態となるため、帯状カレンダーシート１０は壁に密着した状態で表示することができる。
【００２８】
図５は、収納容器１４および１５の形状とカレンダーシート押さえ部材２８の取付け箇所を説明する図である。
カレンダーシート押さえ部材２８は、カレンダーシート押さえ部材２８の半分は収納容器に接着させないで、帯状カレンダーシート１０を通過させ、カレンダーシート押さえ部材２８の半分は収納容器に接着させた状態で取り付けられる。
このようなカレンダーシート押さえ部材２８の取付け位置および接着方法により、帯状カレンダーシート１０は、３ヶ月分のカレンダーシート１１を表示させたとき、カレンダーシート１１が垂れ下がることがなく、壁に密着した状態で表示が可能となる。
【００２９】
図６は、収納容器１４の展開図である。収納容器１４は、紙または合成樹脂で形成されており、ほぼ四角柱の形状で、四角柱の一方の底面には、巻き取り具１６が嵌め込み可能なように嵌め込み穴１７が設けられている。
なお、収納容器１５も図６と同じ展開図となるが、嵌め込み穴１７の位置が収納容器１４とは反対の底面となり、切欠部１５ａの位置も異なる。
また、図６に示した収納容器１４の展開図の４つの側面および２つの底面は、それぞれ独立した部材として合成樹脂等で形成し、それらを組立てることもできる。
【００３０】
図７は、収納容器１４に巻き取り具１６が嵌め込まれた状態の断面図である。巻き取り用ロール３０の断面も表示している。巻き取り用ロール３０は、円筒形状で紙または合成樹脂で形成されている。また、巻き取り具１６も紙または合成樹脂で形成されている。
【００３１】
ここで、使用前のロール式カレンダー１は、帯状カレンダーシート１０の最初と最後の部分を、一対の巻き取り用ロール３０に巻きつけて収納容器に収納し、帯状カレンダーシート１０は２つの巻き取り用ロール３０にほぼ巻き取られた状態である。このような組立済みのロール式カレンダー１であれば、収納容器１４および１５を、例えば３ヶ月分のカレンダーシート１１を表示可能な間隔で壁等に貼り付けて使用する。
一方、ロール式カレンダー１は、帯状カレンダーシート１０、収納容器１４および１５、巻き取り用ロール３０等は、部品のままで組立前の状態であってもよい。
【００３２】
この場合は、ロール式カレンダーを組立てて使用する。
帯状カレンダーシート１０は巻き取り用ロール３０に巻き取られているので、収納容器１５を組立て、その収納容器１５に巻き取り用ロール３０を収納し、収納容器１５の切欠部１５ａから帯状カレンダーシート１０の最初の部分を引き出す。その最初の部分を収納容器１４の切欠部１４ａを通して、もう一つの巻き取り用ロール３０に接着させて巻きつけ、その巻き取り用ロール３０を組み立てた収納容器１４に収納する。その後、巻き取り具１６を収納容器１４および１５の各巻き取り用ロール３０に、収納容器１４の底面の外側から嵌め込む。収納容器１４および１５の必要な箇所は接着剤または粘着テープ等で固定しロール式カレンダー１の組立を完了する。
【００３３】
ロール式カレンダー１を使用するとき、収納容器１４および１５に取付けられた両面粘着テープ２９またはマグネット等により壁に貼り付ける。
このようにして壁等に貼り付けられたロール式カレンダー１は、必要なカレンダーシート１１を表示させるために、巻き取り用ロール３０に嵌め込まれた巻き取り具１６を回転させることによって、帯状カレンダーシート１０を表示する月まで移動させ、該当月のカレンダーシートの前後３ヶ月分を表示させる。
【００３４】
以上、本考案のロール式カレンダーによれば、月単位の複数月のカレンダーを固定して表示することができ、月単位のグラフ用紙にデータを記録することによりデータの変化や効果を一目で確認することができる。さらに、過ぎた月のデータも巻き戻すことにより確認することができる。
【符号の説明】
【００３５】
１・・・ロール式カレンダー、１０・・・帯状カレンダーシート、１１・・・カレンダーシート、１２・・・カレンダー表示部、１３・・・グラフ表示部、１４・・・収納容器、１４ａ・・・切欠部、１５・・・収納容器、１５ａ・・・切欠部、１６・・・巻き取り具、２８・・・カレンダーシート押さえ部材、２９・・・両面粘着テープ、３０・・・巻き取り用ロール。
【図１】
0003213239.tif 000003
【図２】
0003213239.tif 000004
【図３】
0003213239.tif 000005
【図４】
0003213239.tif 000006
【図５】
0003213239.tif 000007
【図６】
0003213239.tif 000008
【図７】
0003213239.tif 000009